(57)【要約】【課題】  読取部を移動させる際に読取部とガイド部材とが干渉する。【解決手段】  読取面１１０を備え、回転軸Ｘまわりに回転可能で、読み取り位置にある時、読取面１１０と対向する部分を読み取り可能な読取ユニット１２０と、読取ユニット１２０が読み取り位置にある時に読取ユニット１２０に接触し、且つ読取面１１０と対向して配置される対向部材４１５と、を有し、読取ユニット１２０が読み取り位置でない位置にある時、読取面１１０は読み取り位置にある時よりも回転軸Ｘに近い位置にあり、読取ユニット１２０は対向部材４１５から離間している。【選択図】  図８
2014233067.tif 000002
【特許請求の範囲】
【請求項１】
読取面を備え、回転軸まわりに回転可能で、読み取り位置にある時、前記読取面と対向する部分を読み取り可能な読取ユニットと、前記読取ユニットが前記読み取り位置にある時に前記読取ユニットに接触し、且つ前記読取面と対向して配置される対向部材と、を有する読取装置において、
前記読取ユニットが前記読み取り位置でない位置にある時、前記読取面は前記読み取り位置にある時よりも前記回転軸に近い位置にあり、前記読取ユニットは前記対向部材から離間していることを特徴とする読取装置。
【請求項２】
前記読取ユニットが前記読み取り位置から回転する際、前記読取ユニットの前記回転軸まわりの回転に連動して前記読取面が前記回転軸に近づく方向に移動することを特徴とする請求項１に記載の読取装置。
【請求項３】
前記回転軸を中心とする半径方向に関して前記読取ユニットの位置を規制する規制部材と、前記読取ユニットを前記規制部材に向かって押圧する押圧部材と、を有することを特徴とする請求項１又は２に記載の読取装置。
【請求項４】
前記読取ユニットが前記読み取り位置にある時、前記規制部材が前記読取ユニットの回転を規制可能であることを特徴とする請求項３に記載の読取装置。
【請求項５】
前記読取ユニットを保持する保持部材を有し、前記保持部材が回転することにより前記読取ユニットが前記回転軸の回りに回転することを特徴とする請求項３又は４に記載の読取装置。
【請求項６】
前記押圧部材は、前記保持部材と前記読取ユニットとの間に設けられた弾性部材であることを特徴とする請求項５に記載の読取装置。
【請求項７】
前記読取ユニットが前記読み取り位置から回転する際、前記読取ユニットが前記回転軸のまわりに回転する前に前記読取ユニットは前記読取面が前記回転軸に近づくように移動することを特徴とする請求項１に記載の読取装置。
【請求項８】
シートを搬送する第１搬送路を有し、前記読取ユニットは、前記第１搬送路にあるシートを前記読取面と前記対向部材とで挟み、該シートの画像を読み取る前記読み取り位置としての第１位置へ移動可能であることを特徴とする請求項１乃至７のいずれか一項に記載の読取装置。
【請求項９】
シートを搬送する第２搬送路を有し、前記第１搬送路を通過した後にスイッチバック搬送されたシートが前記第２搬送路へ搬送され、前記読取ユニットは、前記第２搬送路にあるシートを前記読取面と前記対向部材とで挟み、該シートの画像を読み取る前記読み取り位置としての第２位置へ移動可能であることを特徴とする請求項８に記載の読取装置。
【請求項１０】
基準情報を得るために前記読取ユニットで読み取る基準部を有し、前記読取ユニットは、前記基準部を読み取る前記読み取り位置としての第３位置へ移動可能であることを特徴とする請求項１乃至９のいずれか一項に記載の読取装置。
【請求項１１】
前記回転軸は前記読取面で読み取るシートの表面に平行であることを特徴とする請求項１乃至１０のいずれか一項に記載の読取装置。
【請求項１２】
シートに画像を形成する画像形成手段を有することを特徴とする請求項８に記載の読取装置。
【請求項１３】
前記画像形成手段は、前記シートの第１面に画像形成した後に、前記シートの第２面に画像形成すべく、前記シートを再び画像形成手段に搬送するための搬送路を備え、前記搬送路の一部は前記第１搬送路であることを特徴とする請求項１２に記載の画像形成装置。
【請求項１４】
読取面を備え、回転軸まわりに回転可能で、読み取り位置にある時、前記読取面と対向する部分を読み取り可能な読取ユニットと、前記読取ユニットが前記読み取り位置にある時に前記読取ユニットに接触し、且つ前記読取面と対向して配置される対向部材と、を有する読取装置において、
前記読取ユニットが前記読み取り位置でない位置にある時、前記対向部材は前記読取ユニットが前記読み取り位置にある時よりも前記回転軸から遠い位置にあり、前記対向部材は前記読取ユニットから離間していることを特徴とする読取装置。
【請求項１５】
前記読取ユニットが前記読み取り位置から回転する際、前記読取ユニットが前記回転軸まわりに回転に連動して、前記対向部材が前記回転軸から遠ざかる方向に移動することを特徴とする請求項１４に記載の読取装置。
【請求項１６】
前記対向部材を前記回転軸に向かって押圧する押圧部材と、前記回転軸に向かう方向の前記対向部材の位置を規制する規制部材と、を有することを特徴とする請求項１４又は１５に記載の読取装置。
【請求項１７】
前記規制部材は前記読取ユニットの回転に同期して移動することを特徴とする請求項１６に記載の読取装置。
【請求項１８】
前記読取ユニットが前記読み取り位置にある時、前記対向部材は、前記規制部材を介して前記読取ユニットの回転を規制可能であることを特徴とする請求項１６又は１７に記載の読取装置。
【請求項１９】
前記読取ユニットが前記読み取り位置から回転する際、前記読取ユニットが前記回転軸まわりに回転する前に、前記対向部材が前記回転軸から遠ざかる方向に移動することを特徴とする請求項１４に記載の読取装置。
【請求項２０】
シートを搬送する第１搬送路を有し、前記読取ユニットは、前記第１搬送路にあるシートを前記読取面と前記対向部材とで挟み、該シートの画像を読み取る前記読み取り位置としての第１位置へ移動可能であることを特徴とする請求項１４乃至１９のいずれか一項に記載の読取装置。
【請求項２１】
シートを搬送する第２搬送路を有し、前記第１搬送路を通過した後にスイッチバック搬送されたシートが前記第２搬送路へ搬送され、前記読取ユニットは、前記第２搬送路にあるシートを前記読取面と前記対向部材とで挟み、該シートの画像を読み取る前記読み取り位置としての第２位置へ移動可能であることを特徴とする請求項２０に記載の読取装置。
【請求項２２】
基準情報を得るために前記読取ユニットで読み取る基準部を有し、前記読取ユニットは、前記基準部を読み取る前記読み取り位置としての第３位置へ移動可能であることを特徴とする請求項１４乃至２１のいずれか一項に記載の読取装置。
【請求項２３】
前記回転軸は前記読取面で読み取るシートの表面に平行であることを特徴とする請求項１４乃至２２のいずれか一項に記載の読取装置。
【請求項２４】
シートに画像を形成可能な画像形成手段を有することを特徴とする請求項２０に記載の読取装置。
【請求項２５】
前記画像形成手段は、前記シートの第１面に画像形成した後に、前記シートの第２面に画像形成すべく、前記シートを再び画像形成手段に搬送するための搬送路を備え、前記搬送路の一部は前記第１搬送路であることを特徴とする請求項２４に記載の画像形成装置。
【請求項２６】
読取面を備え、回転軸まわりに回転可能で、読み取り位置にある時、前記読取面と対向する部分を読み取り可能な読取ユニットを有する読取装置において、
前記読取ユニットを前記回転軸を中心とする半径方向に向かって押圧する押圧部材と、前記半径方向に関して前記読取ユニットの位置を規制する規制部材と、を有し、
前記読取ユニットが前記読み取り位置にある時よりも前記読み取り位置でない位置にある時の方が、前記半径方向に関して前記読取面が前記回転軸に近い位置に配置されるよう、前記規制部材は前記読取ユニットの位置を規制することを特徴とする読取装置。
【請求項２７】
前記読取ユニットが前記読み取り位置にある時に前記読取面と対向して配置される対向部材を有し、前記読取ユニットが前記読み取り位置にある時、前記読取ユニットは前記対向部材に突き当たって前記半径方向の位置が決まることを特徴とする請求項２６に記載の読取装置。
【請求項２８】
シートを搬送する第１搬送路を有し、前記読取ユニットは、前記第１搬送路にあるシートを前記読取面と前記対向部材とで挟み、該シートの画像を読み取る前記読み取り位置としての第１位置へ移動可能であることを特徴とする請求項２７に記載の読取装置。
【請求項２９】
シートを搬送する第２搬送路を有し、前記第１搬送路を通過した後にスイッチバック搬送されたシートが前記第２搬送路へ搬送され、前記読取ユニットは、前記第２搬送路にあるシートを前記読取面と前記対向部材とで挟み、該シートの画像を読み取る前記読み取り位置としての第２位置へ移動可能であることを特徴とする請求項２７に記載の読取装置。
【請求項３０】
前記回転軸は前記読取面で読み取るシートの表面に平行であることを特徴とする請求項２８又は２９に記載の読取装置。
【発明の詳細な説明】
【技術分野】
【０００１】
本発明は、オートドキュメントフィーダユニット（以下、ＡＤＦ）に代表される、原稿の画像等を読み取る読取装置、及び、読取装置を有する複写機やレーザービームプリンタ（以下、ＬＢＰ）、ファクシミリ等の装置に関する。
【背景技術】
【０００２】
上述したような読取装置によって、原稿の両面（表面、裏面）を自動的に読み取るために、原稿搬送路の原稿の表面及び裏面に対向する位置に夫々読取部（イメージセンサ）を配置した構成が一般的に知られている。しかし、このような構成だと、原稿の表面用と裏面用の読取センサを設ける必要があり、コストアップしてしまう。
【０００３】
そこで、特許文献１では、読取部を装置本体内で移動可能に構成し、複数の搬送路にある原稿を１つの読取センサで読み取り可能としている。
【先行技術文献】
【特許文献】
【０００４】
【特許文献１】特開平１０−１２６５６７
【発明の概要】
【発明が解決しようとする課題】
【０００５】
ここで、装置を小型化する等の為に、例えばコンタクトイメージセンサ（ＣＩＳ）のような被写界深度が浅く、焦点距離の短いセンサを読取部に用いる場合、精度良く原稿画像を読み取る為に原稿読取時の原稿のバタつきを抑える必要がある。このため、読取部の原稿対向部分と搬送路を形成するガイド部材の読取部対向部との隙間をある程度狭く構成する。
【０００６】
しかしながら、特許文献１の構成のように読取部を移動させる構成の場合、読取部の原稿対向部分とガイド部材の読取部対向部との隙間が狭いと、読取部を移動させる際に、読取部やその原稿対向部分が、ガイド部材の読取部対向部等のガイド部材の一部と干渉する場合がある。この干渉により、読取部の移動が阻害されたり、読取部やガイド部材が傷ついたりする虞がある。
【０００７】
そこで、本発明は上記課題に鑑みて、読取部を移動させる際に読取部とガイド部材とが干渉することを抑制することを目的とする。
【課題を解決するための手段】
【０００８】
そこで、本発明は、読取面を備え、回転軸まわりに回転可能で、読み取り位置にある時、前記読取面と対向する部分を読み取り可能な読取ユニットと、前記読取ユニットが前記読み取り位置にある時に前記読取ユニットに接触し、且つ前記読取面と対向して配置される対向部材と、を有する読取装置において、前記読取ユニットが前記読み取り位置でない位置にある時、前記読取面は前記読み取り位置にある時よりも前記回転軸に近い位置にあり、前記読取ユニットは前記対向部材から離間していることを特徴とする。
【０００９】
また、本発明は、読取面を備え、回転軸まわりに回転可能で、読み取り位置にある時、前記読取面と対向する部分を読み取り可能な読取ユニットと、前記読取ユニットが前記読み取り位置にある時に前記読取ユニットに接触し、且つ前記読取面と対向して配置される対向部材と、を有する読取装置において、前記読取ユニットが前記読み取り位置でない位置にある時、前記対向部材は前記読取ユニットが前記読み取り位置にある時よりも前記回転軸から遠い位置にあり、前記対向部材は前記読取ユニットから離間していることを特徴とする。
【発明の効果】
【００１０】
本発明によれば、読取部を移動させる際に読取部とガイド部材とが干渉することを抑制することができる。
【図面の簡単な説明】
【００１１】
【図１】読取装置の概略断面図
【図２】読取装置の概略断面図
【図３】読取部の分解斜視図
【図４】読取部の保持機構を示す斜視図
【図５】カム部材の斜視図
【図６】読取部周辺の読取装置の概略断面図
【図７】（ａ）搬送ガイド４０１の斜視図、（ｂ）搬送ガイド４０１の断面図
【図８】読取部周辺の読取装置の概略断面図
【図９】読取部の回転位相の変化に伴う、ガラス板の観測点と回転軸との距離変化を示すグラフ
【図１０】読取部の部分斜視図
【図１１】読取部周辺の読取装置の概略断面図
【図１２】読取部周辺の読取装置の概略断面図
【図１３】読取部の回転位相の変化に伴う、可動ガイドと回転軸との距離の変化を示すグラフ
【図１４】読取部周辺の読取装置の概略断面図
【図１５】読取部周辺の読取装置の概略断面図
【発明を実施するための形態】
【００１２】
［第１実施形態］
第１実施形態では、本発明を適用した画像読取装置（読取装置）について説明する。以下の説明で用いる断面図は、全て原稿Ｓの幅方向（搬送方向に直交する方向）から見た断面図である。図１は、画像読取装置１の概略断面図である。本実施形態の画像読取装置１は、後に詳述するが、画像形成装置として機能する画像形成部（画像形成手段）を有しており、画像読取装置を有する画像形成装置として捉えることもできる。
【００１３】
まず、装置１の概略構成について説明する。装置１内には装置１下部に配置された第１給紙部３０から装置１上部に配置された第１排紙部４０まで記録紙Ｓ（シート）を搬送する搬送路３が配置されている。また、装置１内には、両面プリント時にスイッチバックした記録材Ｓを搬送し、再び搬送路３へ搬送するための搬送路４、５、及び、装置１上部に配置された第２給紙部９０から搬送路４へ原稿Ｇ（シート）を搬送する第１原稿搬送路８を有する。更に、装置１内には、搬送路５を通る原稿Ｇをスイッチバックさせ、装置上部に配置された第２排紙部８２へ搬送する為の第２原稿搬送路６、７を有する。
【００１４】
＜画像形成部＞
装置１の中央部には、感光体としての回転可能な感光ドラム１０と、感光ドラム１０に当接し、トナーを保持しながら回転する現像ローラ１１が配置されている。感光ドラム１０に対向してレーザ光を照射する光学ユニット２が配置されている。搬送路３を挟んで感光ドラム１０と対向する位置には転写ローラ１５が設けられている。搬送路３の転写ローラ１５の搬送方向下流側には定着部５０が設けられている。上述した、第１給紙部３０、搬送路３、感光ドラム１０、現像ローラ１１、光学ユニット２、定着部５０、第１排紙部４０、搬送路４、５は、少なくとも記録紙Ｓ（シート）に画像形成するための画像形成部として機能する。
【００１５】
次に、図１を用いて画像形成部による画像形成動作について説明する。画像形成部は印刷信号を受けとることで画像形成動作を開始する。画像形成動作は以下のとおりである。光学ユニット２が具備する発光部２１が、不図示の帯電手段によって表面を帯電させられて回転する感光ドラム１０の表面に印刷する画像情報に応じたレーザ光を照射する。レーザ光を照射された感光ドラム１０の表面には印刷する画像情報に応じた潜像が形成される。現像ローラ１１が回転しながら、保持しているトナーを感光ドラム１０表面に付着させると、感光ドラム１０の表面上に潜像に対応したトナー像が形成される。
【００１６】
一方、第１給紙部３０に収納された記録紙Ｓは、ピックアップローラ３１と分離手段３２により、一枚ずつ搬送路３内に搬送される。搬送路３内では、記録材Ｓは、感光ドラム１０の表面に形成されるトナー像にタイミングを合わせて、感光ドラム１０と転写ローラ１５との間の転写ニップに搬送される。
【００１７】
感光ドラム１０の表面上に形成されたトナー像は、感光ドラム１０の回転により転写ローラ１５に対向する転写ニップの位置へ移動し、転写ローラ１５に印加される転写バイアスによって、記録紙Ｓ上に転写される。トナー像が転写された記録紙Ｓは定着部５０へ搬送され、加熱ローラ５１と加圧ローラ５２の間の定着ニップを通過して加熱及び加圧され、トナー像が記録紙Ｓに定着される。トナー像を定着された記録紙Ｓは、排紙ローラ６０ａ、６０ｂによって定着部５０の下流側へ搬送される。
【００１８】
ここで、記録紙Ｓの片面のみに印刷を行う片面印刷の場合、排紙ローラ６０ａ、６０ｂは記録紙Ｓをそのまま機外へ搬送し、記録紙Ｓを第１排紙部４０上に排出する。
【００１９】
記録紙Ｓの両面に印刷を行う両面印刷の場合は次のように動作する。定着部５０の下流側へ搬送される記録材Ｓは、排紙ローラ６０ａ、６０ｂによって記録材Ｓの後端が搬送路３と搬送路４との分岐点を通過する位置まで搬送される。その後、排紙ローラ６０ａ、６０ｂは逆回転し、記録紙Ｓの後端を先端として、搬送路３と搬送路４との分岐点に配置された不図示のフラッパにより搬送路４へ案内され、搬送される。これが所謂スイッチバックである。
【００２０】
スイッチバックした記録紙Ｓは、搬送ローラ７０、７１、７２、７３によって搬送路４、５を搬送され（フラッパ２００も位置２００ａにある）、再び搬送路３を搬送され、感光ドラム１０と転写ローラ１５との間の転写ニップへ搬送される。その後は上述した画像形成動作によって、記録紙Ｓの別の面にトナー像の転写、及び、定着され、第１排紙部４０へ排出される。なお、記録紙Ｓが搬送路４を通過する際、記録紙Ｓに付着した異物や汚れ等が読取部１００に付着しないよう、また、記録紙Ｓからの熱が読取部１００に伝達されにくくなるよう、ガラス板１１０は、図１に示すように第２原稿搬送路７に対向する位置にある。
【００２１】
上述した画像形成動作によって、記録紙Ｓの片面又は両面に画像形成を行う。
【００２２】
＜画像読取手段＞
本実施形態の画像読取装置１は、シート状の原稿の画像を読み取る画像読取装置として機能する画像読取部を有している。具体的には、第２給紙部９０、第１原稿搬送路８、搬送路４、５、第２原稿搬送路６、７、フラッパ２００、搬送ローラ７０、７１、７２、７３、７４、７６、７７、７８、４３ａ、４３ｂ、読取部１００、基準部としての白基準部１７０（図６参照）である。これらは少なくとも画像読取部の一部として機能する。更に、画像読取部の一部の部材は、先述した画像形成部と共通の部材であり、搬送路４、５や搬送ローラ７０、７１、７２、７３は画像形成部の一部としても機能する共通部分である。
【００２３】
読取部（画像読取部）１００は、コンタクトイメージセンサ（ＣＩＳ）を備え、コンタクトイメージセンサ（ＣＩＳ）は原稿Ｇに対向するガラス板１１０を備える。読取部１００は移動（回転）可能に構成されている。読取部１００は、読み取った原稿の画像情報としての画像データを画像制御部Ｃへ出力する。
【００２４】
また、読取部１００は、図１の矢印Ｒで示すように回転軸（Ｘ：図３参照）まわりに回転可能である。読取部１００は、回転によって搬送路４（第１搬送路）にある原稿Ｇの第１面の画像を読み取る位置（第１位置）（図２参照）、及び、第２原稿搬送路７（第２搬送路）にある原稿Ｇの第２面の画像を読み取る位置（第２位置）（図１参照）へ移動可能である。読取部１００が第１位置にある時、及び、第２位置にある時、ガラス板１１０が原稿Ｇの画像を読み取る面と向かい合う（対向する）。
【００２５】
読取部１００は、原稿を読み取らない状態では、上記２つの位置の間の待機位置（第３位置）にある。本実施形態では、白基準部１７０が読取部１００の鉛直上方に配置されており、白基準部１７０は鉛直下方を向いて配置されている。そして、読取部１００のガラス板１１０が白基準部１７０と対向する位置が待機位置である。このように読取部１００が待機位置にある時、読取部１００は白基準部１７０を読み取り可能である。白基準部１７０を読み取った基準情報を白基準情報とし、この情報に基づいて読み取った原稿画像に関する情報（画像データ）を補正することが可能となる。このような原稿画像に関する情報の補正は、白基準情報に基づいて画像制御部Ｃが行ってもよいし、読取部１００で白基準情報に基づいて補正を行い、補正したものを原稿の画像情報として画像制御部Ｃへ出力してもよい。また、白基準部１７０を読み取った基準情報に基づいて読取部１００に設けられ、原稿Ｇに光を照射する不図示の光源の発光量を調整してもよい。
【００２６】
画像制御部Ｃは、読取部から出力された画像情報を、ネットワーク等を経由して外部のＰＣやサーバー、ＵＳＢメモリ等の情報処理装置や記憶装置に送信したり、画像形成手段に送信して画像情報に基づく画像形成を行うことが可能である。また、画像制御部Ｃが備えるメモリ（記憶手段）等に画像情報を格納することも可能である。なお、画像制御部Ｃが備えるメモリとは、画像制御部Ｃと同一基盤上にあるメモリ以外にも、装置１内に備わるものであれば、別の基盤等に設けられたメモリのことも指す。
【００２７】
＜画像読取動作＞
次に、画像読取手段による原稿Ｇの画像情報の読み取り動作について図２を用いて説明する。図２は画像読取装置１の概略断面図である。第２給紙部９０に収納された原稿Ｇは、ピックアップローラ９１と分離手段９２により、一枚ずつ搬送され、第１原稿搬送路８を経て、搬送ローラ７０、７１により搬送路４、５へ搬送される。
【００２８】
一方、読取部１００は、第２給紙部９０から給紙された原稿Ｇの原稿表面である第１面目の読み取りを開始するまでに、待機位置で白基準部１７０の情報を読み取り、白基準情報の修正を実施する。そして、図面時計回りに回転して、図２に示すように搬送路４に対面する第１位置に移動する。
【００２９】
そして、搬送路４を搬送される原稿Ｇが第１位置にある読取部１００に対向する位置を通過する際、読取部１００は、原稿Ｇの第１面の画像情報を読み取る。読み取った原稿Ｇの第１面に対応する画像情報は、画像制御部Ｃへ送信される。
【００３０】
読取部１００の位置を通過した原稿Ｇは、搬送ローラ７０、７１によって搬送路５を更に搬送される。ここで、フラッパ２００は位置２００ｂにあるため、原稿Ｇはフラッパ２００により第２原稿搬送路６へ案内され、搬送ローラ７２、７４により原稿Ｇの後端がフラッパ２００を通過する位置まで第２原稿搬送路６を搬送される。その後、搬送ローラ７２、７４が逆回転して原稿Ｇがスイッチバック搬送（反転搬送）される。この時、フラッパ２００は、図１に示す位置２００ａに移動し、原稿Ｇを第２原稿搬送路７へ案内する。
【００３１】
一方、読取部１００は原稿Ｇの第１面を読み取った後、原稿Ｇが第２原稿搬送路７の読取部１００の位置に到達する前に、図面反時計回りに回転して第２原稿搬送路７に対面する第２位置に移動する。読取部１００の回転軸は、読取部１００の位置にある原稿Ｇの第１面及び裏面の第２面に平行であり、読取部１００の位置を通過する原稿Ｇの搬送方向に直交する。
【００３２】
そして、第２原稿搬送路７を搬送される原稿Ｇが第２位置にある読取部１００に対向する位置を通過する際、読取部１００は原稿Ｇの第２面の画像情報を読み取る。読み取られた原稿Ｇの第２面に対応する画像情報は、画像制御部Ｃへ送信される。第１面及び第２面を読み取られた原稿Ｇは、搬送ローラ７０、７８及び４３ａ、４３ｂに搬送されて装置１の外に排出され、第２排紙部８２に積載される。以上説明した方法により原稿Ｇの両面（第１面、第２面）を一つの読取部１００によって読み取ることができる。
【００３３】
次に、原稿Ｇで読み取った画像情報に基づいて記録材Ｓに画像形成を行う場合について説明する。
【００３４】
第２原稿搬送路７を搬送される原稿Ｇの第２面を読み取りながら、上述の画像形成動作で説明したのと同様に、第１給紙部３０から記録紙Ｓを給送する。ほぼ同時に画像制御部Ｃのメモリに記憶された原稿Ｇの第２面の情報を基に発光部２１から先の画像情報に基づく感光ドラム１０への潜像が形成され、現像ローラ１１によって現像され、潜像に対応するトナー像が形成される。次に記録紙Ｓは感光ドラム１０と転写ローラ１５との間の転写ニップでトナー画像を転写されたのち、定着部５０へ搬送され定着され、記録材Ｓに表面に原稿Ｇの第２面目に対応する画像形成を完了する。
【００３５】
なお、原稿Ｇの第２面の情報を読み取り開始とともに記録紙Ｓの給送を開始しているが、第２面の情報の読み取りが完了した後に記録紙Ｓの給送を開始しても良い。
【００３６】
原稿の第２面に対応する画像形成が完了した記録紙Ｓは、排紙ローラ６０ａ、６０ｂの逆回転によって、スイッチバックして搬送路４、５に向けて搬送され、再び感光ドラム１０と転写ローラ１５との間の転写ニップへ搬送される。そして、先の画像制御部Ｃのメモリに記憶された原稿Ｇの第１面の画像情報に基づき、原稿Ｇの第１面に対応する画像を記録材Ｓの裏面に転写し、定着部５０を経て、第１排紙部４０に排出される。
【００３７】
読取部１００は回転して第１位置から第２位置、第３位置へと移動可能な構成である。そして、この移動により、読取部１００のガラス板１１０等と、搬送路４、第２原稿搬送路７を形成するガイド部材の読取部１００の近傍部分とが干渉する可能性がある。この場合、読取部１１０の移動が阻害されたり、読取部１００やガラス板１１０、ガイド部材が傷ついたりする虞がある。そこで、本実施形態では、ガラス部１１０を読取部１００の回転時に退避させる構成となっている。以下は、その構成及び読取部１００の動作について説明する。
【００３８】
＜読取部１００の構成＞
次に、読取部１００の構成を説明する。図３は、読取部１００の分解斜視図である。読取部１００は、主にセンサユニット（読取ユニット）１２０、回転ガイド１３０を備える。センサユニット１２０は、原稿Ｇに光を照射する発光部と長手方向に並んだ複数の固体撮像素子（ラインセンサ）とを含むセンサ部１２１と、センサ部１２１を覆う長尺形状のガラス板１１０と、を備える。センサ部１２１の発光部からガラス板１１０を透過させて、原稿Ｇに光を照射し、原稿Ｇで反射されガラス板１１０を透過した光をセンサ部１２１の複数の固体撮像素子で受光することにより、原稿Ｇの画像を読み取る。このように、ガラス板１１０の表面は読取部１００で読み取りを行うための読取面であり、この読取面を介して原稿Ｇの読取面に対向する部分の画像を読み取る。センサユニット１２０は、長手方向両端部に、それぞれボス１２０ａ、１２０ｂが設けられている（手前側のみ図示し、奥側は不図示）。ボス１２０ａ、１２０ｂは、回転ガイド１３０の長手方向両端部に配置されたスリット１３０ｃ、１３０ｄに嵌合され保持される。回転ガイド１３０は、回転中心部１３０ａ及び１３０ｂを同じ回転軸Ｘ上に備え、この回転軸Ｘ回りに回転可能である。また回転ガイド１３０は、弾性部材としてのバネ（圧縮バネ）１５０と、センサユニット１２０を押圧する押圧板１４０と、を内包している。このため、回転ガイド１３０は、押圧部材であるバネ１５０及び押圧版１４０を介して、センサユニット１２０の長手方向両端部分を矢印Ａ方向に押圧する。
【００３９】
このような構成により、センサユニット１２０は、バネ１５０に押圧されながら、スリット１３０ｃ、１３０ｄにガイドされ、摺動可能に保持部材としての回転ガイド１３０に保持されている。このため、センサユニット１２０は、回転ガイド１３０と一緒に回転しつつも、回転ガイド１３０に対してスリット１３０ｃ、１３０ｄの長手方向（回転軸Ｘに直交する方向）に移動可能である。
【００４０】
＜読取部１００の保持機構＞
ここでは、読取部１００の保持機構を、図４、図５、図６を用いて説明する。図４は、読取部１００の保持機構を示す斜視図であり、図５は、カム部材の斜視図である。尚、説明を容易にするため、図４では、カム部材の形状の一部を省略している。該当部分は、図５の詳細図で示すので、参照しながら説明する。図６は装置１に取り付けられた読取部１００周辺の断面図である。
【００４１】
図４に示すように、回転ガイド１３０の両側部にある回転中心部１３０ａ及び１３０ｂ（不図示）は、装置本体の不図示のフレームに固定されたカム部材１６０及び１６１に回転可能に保持されている。回転中心部１３０ａは、穴形状になっており、図５（ａ）に示す、規制部材としてのカム部材１６０の中心に位置するボス１６０ａが嵌合し、カム部材１６０に対して回転可能に保持される。また、回転中心部１３０ｂは、ボス形状になっており、図５（ｂ）に示すカム部材１６１の中心に位置する穴１６１ｂに嵌合し、カム部材１６１に対して回転可能に保持される。
【００４２】
また、カム部材１６０側のボス１２０ａは、カム部材１６０のカム面１６０ｃの内側（カム面１６０ｃとボス１６０ａの間）に位置するように組みつけられている。同様に、カム部材１６１側のボス１２０ａは、カム部材１６１のカム面１６１ｃの内側（カム面１６１ｃと穴１６１ｂの間）に位置するように組みつけられている。そのため、読取部１００の回転位相次第で、ボス１２０ａは、カム面１６０ｃ、１６１ｃに当接し、回転中心部１３０ａ、１３０ｂを中心とする半径方向の位置を規制される。つまり、読取部１００の回転時には、ボス１２０ａが、カム面１６０ｃ、１６１ｃに押圧されて、スリット１３０ｃ、１３０ｄに沿って、回転中心（回転中心部１３０ａ、１３０ｂ）に向かって移動する。それと同時にセンサユニット１２０も回転中心（回転中心部１３０ａ、１３０ｂ）に向かう方向に移動する構成になっている。
【００４３】
図６に示すように、装置１の内部では、搬送路４の読取部１００の上流に、記録紙と原稿を案内する搬送ガイド（第１ガイド部材）４１０、４１１、４２５と、搬送ローラ７０及び７１が配置されている。また読取部１００の下流には、搬送ガイド（第１ガイド部材）４１２、４１３が配置されている。搬送ガイド４１０の読取部１００の対面には、対面ガイド部４１５が設けられている。
【００４４】
搬送路７の読取部１００の上流には、搬送ガイド（第２ガイド部材）７１０、７１１と、搬送ローラ７６及び７７が配置されている。読取部１００の下流には、搬送ローラ７０及び７８と、搬送ガイド（第２ガイド部材）７１２及び７１３が配置されている。搬送ガイド７１１の読取部１００の対面には、対面ガイド部４３５が設けられている。読取部１００の上部には、白基準部１７０が配置されている。搬送ガイド４１０、搬送ガイド７１１、白基準部１７０は、それぞれが読取部１００の読取面を構成するガラス板１１０の表面と対向する部分（対面ガイド部４１５、対面ガイド部４３５等）を備える対向部材である。
【００４５】
上述した搬送ガイド４１０、４１１、４２５、４１２、４１３、７１０、７１１、７１２、７１３、白基準部１７０、及び、カム部材１６０、１６１は、装置１の不図示のフレームに固定されている。
【００４６】
そして、カム部材１６０、１６１のボス１６０ａと穴１６１ｂによって、読取部１００の回転ガイド１３０両側部の回転中心部１３０ａ及び１３０ｂが回転軸Ｘ上で回転可能に支持される。このため、図６では、回転軸Ｘのみを図示し、これらは図示を省略した。また、回転ガイド１３０は、不図示の駆動源からの駆動力によって回転軸Ｘ回りに回転可能である。
【００４７】
図６で、読取部１００は、ガラス板１１０が対面ガイド４１５に対向し、搬送路４を搬送される原稿Ｇの画像を読み取る第１位置にある。この状態から、回転ガイド１３０が不図示の駆動源によって回転軸Ｘ回りに反時計方向に９０°回転すると、読取部１００は、ガラス板１１０が白基準部１７０に対向し、白基準部１７０を読み取る第３位置に到達する。また、読取部１００が第１位置にある状態から、回転ガイド１３０が不図示の駆動源によって回転軸Ｘ回りに反時計方向に１８０°回転すると、読取部１００のガラス板１１０が対面ガイド４３５に対向した第２位置に到達する。この第２位置で、読取部１００は、第２原稿搬送路７を搬送される原稿Ｇの画像を読み取る。
【００４８】
次に、図７（ａ）、（ｂ）を用いて、搬送ガイド４１０と読取部１００との関係について説明する。
【００４９】
読取部１００のセンサユニット１２０は、コンタクトイメージセンサ（ＣＩＳ）であるので、小型であるが被写界深度が浅く、センサユニット１２０のガラス板１１０と対面ガイド部４１５との間の間隔（隙間）を小さくする必要がある。しかしながら、この隙間を小さくし過ぎると、薄紙等の腰の弱い原稿Ｇを搬送すると、センサユニット１２０のガラス板１１０と対面ガイド部４１５との間を通過する際、原稿Ｇが座屈する場合がある。この際、座屈によって画像読取中に原稿Ｇの大きな速度変動や、ジャム等の搬送不良が発生し、正しく画像を読み取れない虞がある。
【００５０】
そこで、本実施形態では、搬送ガイド４１０の対面ガイド部４１５とガラス板１１０との間の距離が一定以上短くならないよう、ガラス板１１０の位置を規制する構成となっている。図７（ａ）は搬送ガイド４１０の斜視図であり、（ｂ）は原稿Ｇの幅方向（矢印Ｗ方向）から見たガラス板１１０付近の搬送ガイド４１０の断面図である。
【００５１】
搬送ガイド４１には、対面ガイド部４１５の矢印Ｗ方向（幅方向）に関して搬送される原稿Ｇが通過する部分よりも外側に、リブ４１５ａ及び４１５ｂが設けられ、ガラス板１１０がリブ４１５ａ、４１５ｂに矢印Ｂ方向で突き当たり接触する構成となっている。図７（ｂ）に示すように、ガラス板１１０が矢印Ｂ方向でリブ４１５ａ、４１５ｂに突き当たった状態で、対面ガイド４１５とガラス板１１０との間には、矢印Ｂ方向のリブ４１５ａ、４１５ｂ分の高さｈの隙間が確保される。このような隙間を確保することにより、原稿Ｇへの矢印Ｂ方向の圧力を軽減し、座屈しにくくすることができる。
【００５２】
搬送ガイド７１１の対面ガイド部４３５にも、リブ４１５ａ、４１５ｂと同様のリブを設けている。なお、ガラス板１１０の位置を規制する構成は、対面ガイド部のリブに限られず、読取部１００に、ガラス板１１０よりも突出し、対面ガイド部４１５に突き当たるリブ等の突当部を設けてもよい。
【００５３】
＜読取部１００の回転動作＞
次に、読取部１００が回転する際のセンサユニット１２０の動きを説明する。図６のように、読取部１００が、第１位置にある時、カム部材１６０の回転軸Ｘとガラス板１１０の表面上の所定位置の観測点１１０ｐの距離ｒはｒ１となり最大となる。
【００５４】
回転ガイド１３０が不図示の駆動源によって回転軸Ｘ回りに反時計方向に回転していくと、ボス１２０ａがスリット１３０ｃに押圧され、センサユニット１２０が回転ガイド１３０と一緒に回転していく。更に、ボス１２０ａが、カム面１６０ｃに当接して、回転軸を中心とする半径方向に押圧され、回転軸Ｘに近づくように移動する。つまり、センサユニット１２０は読取部１００（センサユニット１２０の）の回転に連動して回転軸Ｘに近づくように移動する。
【００５５】
図８は、回転ガイド１３０が、図６の状態から、反時計方向に３０度回転した時の読取部１００周辺の断面図である。この状態では、ボス１２０ａがカム面１６０ｃに当接し、図６の状態と比べ回転軸Ｘに近づいた状態であり、回転軸Ｘと観測点１１０ｐの距離ｒはｒ２（＜ｒ１）となる。カム面１６１ｃとボス１２０ａとの関係も、カム面１６０ｃとボス１２０ａとの関係と同様である。
【００５６】
図９は、読取部１００の回転位相θの変化に伴う、ガラス板１１０の代表点である観測点１１０ｐ（センサユニット上の所定点）と回転軸Ｘとの距離ｒの変化を示すグラフである。第１位置を基準の０°としており、そこから１８０°回転した位置が第２位置である。上述したように、ボス１２０ａにカム面１６０ｃ、１６１ｃが当接してボス１２０ａの位置を規制することで、読取部１００の回転位相によって距離ｒが変化する。回転位相θが０°、９０°、１８０°の時に、距離ｒはｒ＝ｒ１となり、観測点１１０ｐが最も回転軸Ｘから離れ、回転位相θが４５°、１３５°の時に、距離ｒはｒ＝ｒ３（＜ｒ２）となり、観測点１１０ｐが最も回転軸Ｘに近づく。
【００５７】
このように、ボス１２０ａの位置を規制することで、読取部１００を第１位置から回転させる際に、ガラス板１１０を含むセンサユニット１２０が、読取部１００の近傍に位置する搬送ガイド４１０の対向ガイド部４１５、及び、搬送ガイド４２５から退避（離間）し、これらが干渉（衝突）することを防ぐことができる。図９からも明らかなように、読取部１００が第２位置、第３位置から回転する際も同様に、ガラス板１１０を含むセンサユニット１２０が、読取部１００の近傍に位置する搬送ガイド７１１の対向ガイド部４３５、及び、搬送ガイド７１３、白基準部１７０から退避し、これらの干渉が防止される。ここでの読取部１００の近傍とは、読取部１００が第１位置、第２位置、又は、第３位置にある状態から、回転軸Ｘの半径方向に退避することなく回転した際に、読取部１００と干渉し得る部分である。より具体的には、読取部１００が第１位置、第２位置、又は、第３位置にある状態から、回転軸Ｘの半径方向に退避することなく回転した際に、読取部１００の回動軌跡（公差分も含む）上に位置する部分である。
【００５８】
また、距離ｒがｒ＜ｒ１の時、センサユニット１２０は近傍のガイド部材から退避した退避位置にあると言える。
【００５９】
また、図６に示すように、読取部１００が第１位置から時計方向に回転しようとした時、ボス１２０ａがカム面１６０ｃに、原稿Ｇの搬送方向である矢印Ｄ１方向で突き当たる構成となっている。このため、読取部１００が第１位置で原稿Ｇの画像を読み取る際に、原稿Ｇとの間の摩擦力によって、読取部１００が時計方向に連れ回って僅かに回転すると、矢印Ｄ１方向でボス１２０ａがカム面１６０ｃに突き当たり、連れ回りが抑制される。このように、カム部材１６０は、読取部１００の回転を規制可能な規制部材としても機能している。第２位置や第３位置でも同様の構成となっている。例えば、第２位置では原稿Ｇの搬送方向は矢印Ｄ２方向だが、この方向への読取部１００の連れ回りの抑制効果もある。
【００６０】
また、上述した干渉防止効果を得る上では、カム面１６０ｃ、１６１ｃは常にボス１２０ａに当接していなくてもよい。本実施形態では、読取部１００の回転位相が０°、９０°、１８０°の時は、ボス１２０ａは、カム面１６０ｃ、１６１ｃの間で、回転軸Ｘが中心の円周方向で僅かなガタを持って挟まれた状態である。このため、読取部１００の回転位相が０°、９０°、１８０°の時は、ボス１２０ａは、回転軸Ｘを中心とする半径方向ではカム面１６０ｃ、１６１ｃで位置を規制されていない。読取部１００が時計方向又は反時計方向に回転した際に、カム面１６０ｃ、１６１ｃに半径方向での位置を規制される。そして、本実施形態では、読取部１００の回転位相が０°、９０°、１８０°の時は、上述したリブ４１５ａ、４１５ｂ等がガラス板１１０に突き当たることにより、センサユニット１２０の回転軸Ｘを中心とする半径方向の位置を規制する構成である。このように、少なくとも、読取部１００が回転時に搬送ガイド等と干渉する虞のある回転位相で、カム面１６０ｃ、１６１ｃがボス１２０ａの位置を規制する構成になってさえいれば、上述した干渉防止効果は得ることができる。
【００６１】
以上説明したように、本実施形態によれば、読取部を移動させる際に読取部とガイド部材とが干渉することを抑制することができる。
【００６２】
［第２実施形態］
第１実施形態では、読取部１００のセンサユニット１２０が搬送ガイドから退避したのに対し、第２実施形態では、搬送ガイドが読取部１００のセンサユニット１２０から退避する構成である。以下、この構成について説明する。なお、第１実施形態と同様の部分については同様の符号を付し説明を省略する。
【００６３】
＜読取部１００の構成＞
図１０は、読取部１００の部分斜視図である。読取部１００は、ガラス板１１０を含むセンサユニット１２０と、センサユニット１２０が固定された回転ガイド１３０と、回転ガイド１３０の両端に固定された規制部材としてのカム部材２６０と、を備える。第１実施形態では、回転軸Ｘを中心とする半径方向に関して、センサユニット１２０が回転ガイド１３０に対して移動可能だったが、本実施形態では、固定されている。また、カム部材２６０には、装置１の不図示のフレームに回転可能に支持される回転軸２６０ａが設けられ、回転軸Ｘ回りにセンサユニット１２０を回転可能としている。またカム部材２６０には４つの突出部２６０ｃが回転軸２６０ａ回りに９０°毎に設けられている。
【００６４】
＜読取部の回転動作＞
図１１は、装置１に取り付けられた読取部１００周辺の断面図である。読取部１００が搬送路４を搬送される原稿Ｇを読み取る為の第１位置にある時のガラス板１１０に対向する位置には、可動ガイド（第１ガイド部材）２４１５が設けられている。可動ガイド２４１５は、弾性部材としてのバネ２５１でガラス板に向かう方向（回転軸Ｘに向かう方向）に付勢されたている。読取部１００が第２原稿搬送路７を搬送される原稿Ｇを読み取る為の第２位置にある時のガラス板１１０に対向する位置には、弾性部材としてのバネ２５２でガラス板に向かう方向（回転軸Ｘに向かう方向）に付勢された可動ガイド２４３５が設けられている。
【００６５】
読取部１００が白基準部１７０を読み取る為の第３位置にある時のガラス板１１０に対向する位置には、弾性部材としてのバネ２５３でガラス板に向かう方向（回転軸Ｘに向かう方向）に付勢された可動ガイド２４２５（第２ガイド部材）が配置されている。白基準部１７０は可動ガイド２４２５に設けられている。
【００６６】
これら可動ガイド２４１５、２４３５、２４２５は、読取部１００が回転する際に、読取部１００から退避しないと読取部１００と干渉してしまう位置に配置された読取部１００の近傍のガイド部材である。
【００６７】
可動ガイド２４１５、２４３５、２４２５にはその両端部には、第１実施形態で説明したリブ４１５ａ、ｂと同様のリブがそれぞれ設けられている。ガラス板１１０が、可動ガイド２４１５、２４３５、２４２５に対向する位置にある場合、そのリブがガラス板１１０に突き当たって、ガラス板１１０との距離を決めている。
【００６８】
図１１に示す状態では、読取部１００は第１位置にありガラス板１１０は可動ガイド２４１５に対向している。この時の回動軸Ｘと可動ガイド２４１５との距離ｄはｄ１である。この状態から読取部１００が反時計方向に回転３０度回転すると図１２に示す状態となる。カム部材２６０はセンサユニット１２０と一体的に回転するので、カム部材２６０の突出部２６０ｃによって可動ガイド２４１５が押圧され、回動軸Ｘと可動ガイド２４１５との距離ｄはｄ２（＞ｄ１）となる。つまり、読取部１００（センサユニット１２０）の回転に連像して可動ガイド２４１５が回動軸Ｘから遠ざかる方向に移動する。
【００６９】
図１３は、読取部１００の回転位相θの変化に伴う、可動ガイド２４１５と回転軸Ｘとの距離ｄの変化を示すグラフである。第１位置を基準の０°としており、そこから９０°回転した位置が第３位置である。上述したように、カム部材２６０によって可動ガイド２４１５の位置を規制することで、読取部１００の回転位相によって距離ｄが変化する。回転位相θが０°、９０°の時にｄ＝ｄ１となり、可動ガイド２４１５が最も回転軸Ｘに近づき、回転位相θが４５°の時にｄ＝ｄ３（＞ｄ２）となり、可動ガイド２４１５が最も回転軸Ｘから離れる。
【００７０】
このように、カム部材２６０の突出部２６０ｃによって、可動ガイド２４１５を押圧し回転軸Ｘに向かう方向の位置を規制することで、ガラス板１１０から可動ガイド２４１５を退避させて（退避位置へ移動させて）ガラス板１１０との干渉を防ぐことができる。その他の可動ガイド２４３５、２４２５も同様に、カム部材２６０の突出部２６０ｃによって押圧される為、ガラス板１１０から退避させて（退避位置へ移動させて）、ガラス板１１０との干渉を防ぐことができる。
【００７１】
また、読取部１００が第１位置や第２位置にある時、読取部１００が僅かに回転すると、一体的に回転するカム部材２６０の突出部２６０ｃが、可動ガイド２４１５、２４３５に突き当たる。これにより読取部１００の回転が規制される。このため、第１実施形態と同様に、読取部１００が搬送される原稿Ｇ等に連れ回されることを抑制できる。
【００７２】
なお、本実施形態ではカム部材２６０に突出部２６０ｃを４つ配置したが、ガラス板１１０と可動ガイドとの干渉を回避する為の突出部２６０ｃが読取部１００を挟んで両側に少なくとも配置されていればよい。また、カム部材２６０は、読取部１００の回転位相に同期して可動ガイドの位置を規制して読取部１００から退避させるものであればよく、カム部材２６０が回動軸Ｘと異なる軸回りに回転したり、往復動作したりするものでもよい。
【００７３】
以上説明したように、本実施形態によれば、第１実施形態と同様に読取部を移動させる際に読取部やその原稿対向部分とガイド部材とが干渉することを抑制することができる。
【００７４】
なお、第１実施形態、第２実施形態の画像形成部は、電子写真方式の画像形成部であったが、インクジェット方式等の他の記録方式の画像形成部であってもよい。
【００７５】
［第３実施形態］
第１実施形態では、読取部１００が回転することにより、センサユニット１２０のボス１２０ａが、カム１６０のカム面１６０ｃに押圧されて、センサユニット１２０が退避した。これに対し、第３実施形態では、読取部１００が回転とは独立してセンサユニット１２０を退避させる。以下、この構成について説明する。なお、第１実施形態と同様の部分については同様の符号を付し説明を省略する。
【００７６】
図１４、図１５は読取部１００周辺の断面図である。本実施形態では、第１実施形態の装置本体の不図示のフレームに固定されていたカム１６０の代わりに、駆動手段としての不図示のソレノイドによって矢印Ｅ方向に移動可能なカム３６０が設けられている。このカム３６０は、図１５に示すように、矢印Ｅ方向に移動することによって第１位置にある読取部１００のセンサユニット１２０のボス１２０ａを押圧する。このようにカム３６０がボス１２０ａを押圧することにより、センサユニット１２０を、対向ガイド部４１５を含む搬送ガイド４１０、搬送ガイド４２５から退避させることができる。この状態から、読取部１００を回転させることで、センサユニット１２０と対向ガイド部４１５を含む搬送ガイド４１０、搬送ガイド４２５との干渉を防ぐことができる。
【００７７】
更に、カム３６０は、読取部１００が第２位置にある場合、及び、第３位置にある場合にも、矢印Ｅ方向に移動することによって、読取部１００を、対向ガイド部４３５を含む搬送ガイド７１１、搬送ガイド７１３、白基準部１７０から退避させることができる。
【００７８】
このように、読取部１００を回転させる前に退避させても、第１実施形態と同様に読取部を移動させる際に読取部とガイド部材とが干渉することを抑制することができる。つまり、読取部とガイド部材とが干渉する前に、読取部又はガイド部材が、読取部とガイド部材とが干渉しないよう退避してさえいれば、読取部又はガイド部材が退避するタイミングは、読取部の回転中でも回転前でもよい。
【００７９】
また、本実施形態のように、読取部１００の回転によらず、退避を行う構成は第２実施形態のように、可動ガイド２４１５、２４３５、２４２５の退避にも適用可能である。即ち、カム部材２６０に代えて、可動ガイド２４１５、２４３５、２４２５をセンサユニット１２０から退避させるカム部材を設け、このカム部材を読取部１００の回転と独立して駆動可能な駆動手段によって移動可能に構成すればよい。このように構成することで第２実施形態と同様の効果を得ることができる。
【００８０】
また、第１実施形態、第３実施形態では読取部をガイド部材から退避させ、第２実施形態ではガイド部材を読取部から退避させたが、読取部を回転する際、読取部及びガイド部材を互いに離れる方向に移動（退避）させてもよい。
【００８１】
また、第１〜３の実施形態では、読取部１００が読み取る対象は、原稿Ｇの画像であった。しかしながら、読取部１００が読み取るのは、原稿Ｇ等のシート上の画像に限られない。例えば、シートの種類を判別するためにシート表面の陰影等を読み取るようなものであってもよい。
【符号の説明】
【００８２】
１  画像読取装置
３、４、５  搬送路
６、７  第２原稿搬送路
８  第１原稿搬送路
１００  読取部
１１０  ガラス板
１２０  センサユニット
１３０  回転ガイド
１５０  バネ
１６０、１６１  カム部材
１６０ｃ、１６１ｃ  カム面
１７０  白基準部
２５１、２５２、２５３  バネ
２６０  カム部材
２６０ｃ  突起部
４１０、４１１、４１２、４１３、４２５  搬送ガイド（第１搬送ガイド部材）
７１０、７１１、７１２、７１３  搬送ガイド（第２搬送ガイド部材）
４１５、４３５  対面ガイド部
２４１５、２４２５、２４３５  可動ガイド
Ｇ  原稿
Ｓ  記録紙
Ｘ  回動軸
【図１】
2014233067.tif 000003
【図２】
2014233067.tif 000004
【図３】
2014233067.tif 000005
【図４】
2014233067.tif 000006
【図５】
2014233067.tif 000007
【図６】
2014233067.tif 000008
【図７】
2014233067.tif 000009
【図８】
2014233067.tif 000010
【図９】
2014233067.tif 000011
【図１０】
2014233067.tif 000012
【図１１】
2014233067.tif 000013
【図１２】
2014233067.tif 000014
【図１３】
2014233067.tif 000015
【図１４】
2014233067.tif 000016
【図１５】
2014233067.tif 000017